(57)【要約】【課題】電波の遮蔽領域を減少することが可能な支持構造を金属加工だけで構成することができるアンテナ装置を得ることを目的とする。【解決手段】支持構造４には、主反射鏡３又は副反射鏡２により反射された電波を透過させる複数の穴４２が配列されているように構成する。これにより、電波の遮蔽領域を減少することが可能な支持構造４を金属加工だけで構成することができるようになる。【選択図】図１
2015185988.tif 000002
【特許請求の範囲】
【請求項１】
電波を放射する一次放射器と、
前記一次放射器から放射された電波を反射する副反射鏡と、
前記副反射鏡により反射された電波を反射する主反射鏡と、
一端が前記主反射鏡に固定された状態で、前記副反射鏡を他端で支持する支持構造とを備えたアンテナ装置において、
前記支持構造には、前記主反射鏡又は前記副反射鏡により反射された電波を透過させる複数の穴が配列されていることを特徴とするアンテナ装置。
【請求項２】
到来してきた電波を反射する主反射鏡と、
前記主反射鏡により反射された電波を反射する副反射鏡と、
前記副反射鏡により反射された電波を受信する受信器と、
一端が前記主反射鏡に固定された状態で、前記副反射鏡を他端で支持する支持構造とを備えたアンテナ装置において、
前記支持構造には、前記到来してきた電波を透過させる複数の穴が配列されていることを特徴とするアンテナ装置。
【請求項３】
電波を放射する一次放射器と、
前記一次放射器から放射された電波を反射する副反射鏡と、
前記副反射鏡により反射された電波を反射する主反射鏡と、
一端が前記一次放射器又は前記一次放射器を支持している構造物に固定された状態で、前記副反射鏡を他端で支持する支持構造とを備えたアンテナ装置において、
前記支持構造には、前記主反射鏡又は前記副反射鏡により反射された電波を透過させる複数の穴が配列されていることを特徴とするアンテナ装置。
【請求項４】
到来してきた電波を反射する主反射鏡と、
前記主反射鏡により反射された電波を反射する副反射鏡と、
前記副反射鏡により反射された電波を受信する受信器と、
一端が前記受信器又は前記受信器を支持している構造物に固定された状態で、前記副反射鏡を他端で支持する支持構造とを備えたアンテナ装置において、
前記支持構造には、前記到来してきた電波又は前記主反射鏡により反射された電波を透過させる複数の穴が配列されていることを特徴とするアンテナ装置。
【請求項５】
電波を放射する一次放射器と、
前記一次放射器から放射された電波を反射する主反射鏡と、
一端が前記主反射鏡に固定された状態で、前記一次放射器を他端で支持する支持構造とを備えたアンテナ装置において、
前記支持構造には、前記主反射鏡により反射された電波を透過させる複数の穴が配列されていることを特徴とするアンテナ装置。
【請求項６】
到来してきた電波を反射する主反射鏡と、
前記主反射鏡により反射された電波を受信する受信器と、
一端が前記主反射鏡に固定された状態で、前記受信器を他端で支持する支持構造とを備えたアンテナ装置において、
前記支持構造には、前記到来してきた電波を透過させる複数の穴が配列されていることを特徴とするアンテナ装置。
【請求項７】
前記複数の穴の形状が多角形であることを特徴とする請求項１から請求項６のうちのいずれか１項記載のアンテナ装置。
【請求項８】
前記複数の穴の形状が円形であることを特徴とする請求項１から請求項６のうちのいずれか１項記載のアンテナ装置。
【請求項９】
前記複数の穴の形状が長方形であり、前記長方形の一辺の長さが透過させる電波の波長の２分の１であることを特徴とする請求項１から請求項６のうちのいずれか１項記載のアンテナ装置。
【請求項１０】
前記副反射鏡は、複数の反射素子が配列されているリフレクトアレーで構成されていることを特徴とする請求項１から請求項４のうちのいずれか１項記載のアンテナ装置。
【請求項１１】
前記主反射鏡は、複数の反射素子が配列されているリフレクトアレーで構成されていることを特徴とする請求項１から請求項６のうちのいずれか１項記載のアンテナ装置。
【請求項１２】
前記主反射鏡及び前記副反射鏡は、複数の反射素子が配列されているリフレクトアレーで構成されていることを特徴とする請求項１から請求項４のうちのいずれか１項記載のアンテナ装置。
【請求項１３】
前記副反射鏡は、２つの面から見た形状が異なるダブリーカーブ形状であることを特徴とする請求項１から請求項４のうちのいずれか１項記載のアンテナ装置。
【請求項１４】
前記主反射鏡は、２つの面から見た形状が異なるダブリーカーブ形状であることを特徴とする請求項１から請求項６のうちのいずれか１項記載のアンテナ装置。
【発明の詳細な説明】
【技術分野】
【０００１】
この発明は、電波を放射又は受信するアンテナ装置に関するものである。
【背景技術】
【０００２】
従来の反射鏡アンテナでは、給電系統もしくは副反射鏡を支持する支持構造が、電波を遮蔽する位置に存在するため、アンテナの放射特性を劣化させてしまう問題があった。
そこで、電波を遮蔽する領域を減らすために支持構造のサイズを小さくする方策が考えられるが、支持構造のサイズを小さくすると、放射特性が改善しても、重量や環境試験による機械的な制約条件によってサイズの小型化が困難な場合がある。
【０００３】
以下の特許文献１には、機械的な制約条件を満足した上で、電波を遮蔽する領域を減少するために、反射鏡の支持構造を誘電体で構成しているアンテナ装置が開示されている。
また、以下の非特許文献１には、誘電体と金属で、１層もしくは２層の多層構造とすることで、放射特性の劣化を改善しているアンテナ装置が開示されている。
【先行技術文献】
【特許文献】
【０００４】
【特許文献１】特開平９-１８１５２４号公報（段落番号［０００６］）
【非特許文献】
【０００５】
【非特許文献１】Ｍ．Ｒｉｅｌ，Ｙ．Ｂｒａｎｄ，Ｙ．Ｄｅｍｅｒｓ，ａｎｄ  Ｐ．Ｄ．Ｍａａｇｔ，‘Ｐｅｒｆｏｒｍａｎｃｅ  Ｉｍｐｒｏｖｅｍｅｎｔｓ  ｏｆ  Ｃｅｎｔｅｒ−Ｆｅｄ  Ｒｅｆｌｅｃｔｏｒ  Ａｎｔｅｎｎａｓ  Ｕｓｉｎｇ  Ｌｏｗ  Ｓｃａｔｔｅｒｉｎｇ  Ｓｔｒｕｔｓ’，ＩＥＥＥ ＴＲＡＮＳＡＣＴＩＯＮＳ  ＯＮ  ＡＮＴＥＮＮＡＳ  ＡＮＤ  ＰＲＯＰＡＧＡＴＩＯＮ，ＶＯＬ.６０，ＮＯ．３，ＭＡＲＣＨ  ２０１２．
【発明の概要】
【発明が解決しようとする課題】
【０００６】
従来のアンテナ装置は以上のように構成されているので、反射鏡の支持構造を誘電体で構成すれば、電波の遮蔽領域を減少して、放射特性の劣化を抑制することができる。しかし、反射鏡の支持構造を誘電体で構成する場合、支持構造を金属加工で構成する場合と比べて加工が難しいため、製造に多くの時間を要し、コスト高などを招いてしまう課題があった。
【０００７】
この発明は上記のような課題を解決するためになされたもので、電波の遮蔽領域を減少することが可能な支持構造を金属加工だけで構成することができるアンテナ装置を得ることを目的とする。
【課題を解決するための手段】
【０００８】
この発明に係るアンテナ装置は、電波を放射する一次放射器と、一次放射器から放射された電波を反射する副反射鏡と、副反射鏡により反射された電波を反射する主反射鏡と、一端が主反射鏡に固定された状態で、副反射鏡を他端で支持する支持構造とを備え、支持構造には、主反射鏡又は副反射鏡により反射された電波を透過させる複数の穴が配列されているようにしたものである。
【発明の効果】
【０００９】
この発明によれば、支持構造には、主反射鏡又は副反射鏡により反射された電波を透過させる複数の穴が配列されているように構成したので、電波の遮蔽領域を減少することが可能な支持構造を金属加工だけで構成することができる効果がある。
【図面の簡単な説明】
【００１０】
【図１】この発明の実施の形態１によるアンテナ装置を示す斜視図である。
【図２】この発明の実施の形態１によるアンテナ装置を示す断面図である。
【図３】この発明の実施の形態１によるアンテナ装置の支持構造を示す平面図である。
【図４】支持構造における穴の有無による透過振幅特性及び透過位相特性の違いを示すグラフ図である。
【図５】この発明の実施の形態２によるアンテナ装置を示す断面図である。
【図６】この発明の実施の形態２によるアンテナ装置の支持構造を示す平面図である。
【図７】この発明の実施の形態３によるアンテナ装置を示す断面図である。
【図８】この発明の実施の形態４によるアンテナ装置を示す断面図である。
【図９】この発明の実施の形態５によるアンテナ装置を示す断面図である。
【図１０】この発明の実施の形態６によるアンテナ装置を示す断面図である。
【図１１】この発明の実施の形態７によるアンテナ装置を示す断面図である。
【図１２】この発明の実施の形態８によるアンテナ装置を示す断面図である。
【図１３】この発明の実施の形態９によるアンテナ装置を示す斜視図である。
【図１４】この発明の実施の形態９によるアンテナ装置を示す断面図である。
【図１５】この発明の実施の形態１０によるアンテナ装置を示す斜視図である。
【図１６】この発明の実施の形態１１によるアンテナ装置を示す断面図である。
【図１７】この発明の実施の形態１２によるアンテナ装置を示す断面図である。
【発明を実施するための形態】
【００１１】
実施の形態１．
図１はこの発明の実施の形態１によるアンテナ装置を示す斜視図であり、図２はこの発明の実施の形態１によるアンテナ装置を示す断面図である。
また、図３はこの発明の実施の形態１によるアンテナ装置の支持構造を示す平面図である。
図１から図３において、一次放射器１は主反射鏡３の中心付近に設置されており、電波を副反射鏡２に向けて放射する電波源である。一次放射器１は、例えば、ホーンアンテナなどから構成される。
副反射鏡２は一次放射器１から放射された電波を主反射鏡３に向けて反射するお椀型のミラーである。
主反射鏡３は副反射鏡２により反射された電波を図中上側に向けて反射するお椀型のミラーである。
【００１２】
支持構造４は導体板４１で構成されており、その導体板４１の一端が主反射鏡３の外縁に固定された状態で、その導体板４１の他端で副反射鏡２を支持している。
この支持構造４には、図３に示すように、主反射鏡３又は副反射鏡２により反射された電波を透過させる複数の穴４２が周期的に配列されている。主反射鏡３又は副反射鏡２により反射された電波が複数の穴４２に入射することで支持構造４が共振し、その結果、電波が透過するような振る舞いになる。
図３の例では、複数の穴４２の形状が長方形であり、その長方形の一辺の長さが透過させる電波の波長の２分の１である。
図３中、４３は支持構造４のｘ’ｚ’側面、４４は支持構造４のｙ’ｚ’側面を示している。
図３では、支持構造４に施されている穴４２の形状が長方形である例を示しているが、長方形以外の多角形であってもよい。
【００１３】
次に動作について説明する。
図１のアンテナ装置は、センターフィード形式の反射鏡アンテナであり、一次放射器１、副反射鏡２、主反射鏡３及び支持構造４から構成されている。
一次放射器１から放射された電波は副反射鏡２によって放射され、副反射鏡２によって放射された電波は、主反射鏡３によって放射されることで、図中、上方向に放射される。
【００１４】
ここで、副反射鏡２は支持構造４によって所定の位置で保持されているが、支持構造４は、副反射鏡２により反射される球面波の電波（幾何光学的な光線）、あるいは、主反射鏡３により反射される平面波の電波（幾何光学的な光線）が遮蔽される位置に存在している。
このため、支持構造４が単なる導体板で構成されていれば、支持構造４が電波を遮蔽してしまって、アンテナの放射特性の劣化を招くことになる。
【００１５】
しかし、この実施の形態１では、支持構造４が単なる導体板４１で構成されているのではなく、支持構造４には、副反射鏡２により反射される球面波の電波や、主反射鏡３により反射される平面波の電波を透過させる複数の穴４２が周期的に配列されている。
即ち、支持構造４には、副反射鏡２により反射される球面波の電波や、主反射鏡３により反射される平面波の電波が入射されると、共振を起こすように複数の穴４２が周期的に配列されており、支持構造４が共振することで、これらの電波が複数の穴４２を透過する。
【００１６】
支持構造４に施される穴４２の寸法は、透過させる電波の周波数で共振する長さとすればよいが、例えば、図３のように、穴４２の形状が長方形である場合、その長方形の一辺の長さは、透過させる電波の波長の２分の１程度であれば、支持構造４が共振して、透過特性が向上する。
【００１７】
ここで、支持構造４の共振に伴って透過特性が向上することを確認するために、電磁界シミュレーションによる数値計算を実施している。
図４は支持構造４における穴４２の有無による透過振幅特性及び透過位相特性の違いを示すグラフ図である。
図４の各グラフに描画されている数値は、支持構造が存在しない場合を０として規格化している。
【００１８】
放射特性の劣化を招かないようにするには、透過振幅特性は０ｄＢで、透過位相特性は０ｄｅｇであることが理想状態である。
即ち、理想状態は、支持構造４が存在しない状態であるため、振幅特性は０ｄＢで、位相特性は０ｄｅｇであるフラットな特性となり、フラットな特性であれば、電波に影響を与えていないことを意味する。
支持構造４に穴４２が配列されておらず、支持構造４が単なる導体板（金属板）である場合、図４（ａ）に示すように、振幅は３ｄＢだけ劣化し、位相は−１０ｄｅｇ以上の遅れを生じる。
これに対して、支持構造４に穴４２が配列されている場合、図４（ｂ）に示すように、振幅の劣化や、位相の遅れなどが抑えられており、透過特性が改善している。
透過特性の改善は、アンテナ装置の放射特性の改善と等価であるため、放射特性が改善していると言える。
【００１９】
以上で明らかなように、この実施の形態１によれば、支持構造４には、主反射鏡３又は副反射鏡２により反射された電波を透過させる複数の穴４２が配列されているように構成したので、電波の遮蔽領域を減少することが可能な支持構造４を金属加工だけで構成することができる効果を奏する。
【００２０】
この実施の形態１では、図１のアンテナ装置が送信アンテナとして用いられる例を示したが、図１のアンテナ装置が受信アンテナとして用いられるものであってもよい。
図１のアンテナ装置が受信アンテナとして用いられる場合、一次放射器１の代わりに、電波を受信する受信器（例えば、ホーンアンテナ）を実装する。この場合、主反射鏡３は到来してきた電波を副反射鏡２に向けて反射し、副反射鏡２は主反射鏡３により反射された電波を受信器に向けて反射する。そして、受信器は副反射鏡２により反射された電波を受信する。
なお、支持構造４の構造は、送信アンテナとして用いられる場合と同様であり、支持構造４に施されている穴４２が到来してきた電波を透過させる。
【００２１】
実施の形態２．
図５はこの発明の実施の形態２によるアンテナ装置を示す断面図であり、図６はこの発明の実施の形態２によるアンテナ装置の支持構造を示す平面図である。図において、図１と同一符号は同一または相当部分を示すので説明を省略する。
支持構造５は導体板５１で構成されており、その導体板５１の一端が主反射鏡３の外縁に固定された状態で、その導体板５１の他端で副反射鏡２を支持している。
この支持構造５には、図６に示すように、主反射鏡３又は副反射鏡２により反射された電波を透過させる複数の穴５２が周期的に配列されている。主反射鏡３又は副反射鏡２により反射された電波が複数の穴５２に入射することで支持構造５が共振し、その結果、電波が透過するような振る舞いになる。
図６の例では、複数の穴５２の形状が円形である。図６中、５３は支持構造５のｘ’ｚ’側面、５４は支持構造５のｙ’ｚ’側面を示している。
【００２２】
上記実施の形態１では、支持構造４に施されている穴４２の形状が長方形（多角形）であったが、この実施の形態２では、支持構造５に施されている穴５２の形状が円形である点だけが相違しており、その他の点では同一である。
支持構造５に施されている穴５２の形状が円形であっても、上記実施の形態１と同様に、穴５２の寸法を透過させる電波の周波数で共振する長さとすれば、副反射鏡２により反射される球面波の電波や、主反射鏡３により反射される平面波の電波が入射されると、支持構造５が共振を起こすことで、これらの電波が複数の穴５２を透過する。
よって、この実施の形態２の場合も、上記実施の形態１と同様の効果を得ることができる。
【００２３】
この実施の形態２では、図５のアンテナ装置が送信アンテナとして用いられる例を示したが、図５のアンテナ装置が受信アンテナとして用いられるものであってもよい。
図５のアンテナ装置が受信アンテナとして用いられる場合、一次放射器１の代わりに、電波を受信する受信器（例えば、ホーンアンテナ）を実装する。この場合、主反射鏡３は到来してきた電波を副反射鏡２に向けて反射し、副反射鏡２は主反射鏡３により反射された電波を受信器に向けて反射する。そして、受信器は副反射鏡２により反射された電波を受信する。
なお、支持構造５の構造は、送信アンテナとして用いられる場合と同様であり、支持構造５に施されている穴５２が到来してきた電波を透過させる。
【００２４】
実施の形態３．
図７はこの発明の実施の形態３によるアンテナ装置を示す断面図であり、図において、図１と同一符号は同一または相当部分を示すので説明を省略する。
一次放射器６は主反射鏡３の中心付近に設置されており、電波を副反射鏡２に向けて放射する電波源である。一次放射器６は、例えば、複数のホーンアンテナが配列されることで構成されている。
上記実施の形態１における図１のアンテナ装置と比べて、一次放射器６の構成が一次放射器１の構成と相違している点以外は同一である。
【００２５】
したがって、支持構造４には、上記実施の形態１と同様に、副反射鏡２により反射される球面波の電波や、主反射鏡３により反射される平面波の電波が入射されると、共振を起こすように複数の穴４２（長方形の穴）が周期的に配列されており、支持構造４が共振することで、これらの電波が複数の穴４２を透過する。なお、複数の穴４２の形状は、上記実施の形態１と同様に、長方形以外の多角形であってもよい。
図７のアンテナ装置についても、一次放射器６の代わりに、受信器を実装すれば、受信アンテナとして用いることができる。
【００２６】
実施の形態４．
図８はこの発明の実施の形態４によるアンテナ装置を示す断面図であり、図において、図５及び図７と同一符号は同一または相当部分を示すので説明を省略する。
上記実施の形態２における図５のアンテナ装置と比べて、一次放射器６の構成が一次放射器１の構成と相違している点以外は同一である。
したがって、支持構造５には、上記実施の形態２と同様に、副反射鏡２により反射される球面波の電波や、主反射鏡３により反射される平面波の電波が入射されると、共振を起こすように複数の穴５２（円形の穴）が周期的に配列されており、支持構造５が共振することで、これらの電波が複数の穴５２を透過する。
図８のアンテナ装置についても、一次放射器６の代わりに、受信器を実装すれば、受信アンテナとして用いることができる。
【００２７】
実施の形態５．
図９はこの発明の実施の形態５によるアンテナ装置を示す断面図であり、図において、図１と同一符号は同一または相当部分を示すので説明を省略する。
支持構造７は、図１の支持構造４と同様に、導体板４１で構成されている（図３と同じ構成）。ただし、支持構造７における導体板４１の一端は、主反射鏡３の外縁ではなく、一次放射器１又は一次放射器１を支持している周辺の構造物に固定されており、その導体板４１の他端で副反射鏡２を支持している。
この支持構造７には、図１の支持構造４と同様に、主反射鏡３又は副反射鏡２により反射された電波を透過させる複数の穴４２（長方形の穴）が周期的に配列されている。主反射鏡３又は副反射鏡２により反射された電波が複数の穴４２に入射することで支持構造７が共振し、その結果、電波が透過するような振る舞いになる。
なお、複数の穴４２の形状は、上記実施の形態１と同様に、長方形以外の多角形であってもよい。
図９のアンテナ装置についても、一次放射器１の代わりに、受信器を実装すれば、受信アンテナとして用いることができる。
【００２８】
実施の形態６．
図１０はこの発明の実施の形態６によるアンテナ装置を示す断面図であり、図において、図５と同一符号は同一または相当部分を示すので説明を省略する。
支持構造８は、図５の支持構造５と同様に、導体板５１で構成されている（図６と同じ構成）。ただし、支持構造８における導体板５１の一端は、主反射鏡３の外縁ではなく、一次放射器１又は一次放射器１を支持している周辺の構造物に固定されており、その導体板５１の他端で副反射鏡２を支持している。
この支持構造８には、図５の支持構造５と同様に、主反射鏡３又は副反射鏡２により反射された電波を透過させる複数の穴５２（円形の穴）が周期的に配列されている。主反射鏡３又は副反射鏡２により反射された電波が複数の穴５２に入射することで支持構造８が共振し、その結果、電波が透過するような振る舞いになる。
図１０のアンテナ装置についても、一次放射器１の代わりに、受信器を実装すれば、受信アンテナとして用いることができる。
【００２９】
実施の形態７．
図１１はこの発明の実施の形態７によるアンテナ装置を示す断面図であり、図において、図７及び図９と同一符号は同一または相当部分を示すので説明を省略する。
上記実施の形態５における図９のアンテナ装置と比べて、一次放射器６の構成が一次放射器１の構成と相違している点以外は同一である。
したがって、支持構造７には、上記実施の形態５と同様に、副反射鏡２により反射される球面波の電波や、主反射鏡３により反射される平面波の電波が入射されると、共振を起こすように複数の穴４２（長方形の穴）が周期的に配列されており、支持構造７が共振することで、これらの電波が複数の穴４２を透過する。なお、複数の穴４２の形状は、上記実施の形態５と同様に、長方形以外の多角形であってもよい。
図１１のアンテナ装置についても、一次放射器６の代わりに、受信器を実装すれば、受信アンテナとして用いることができる。
【００３０】
実施の形態８．
図１２はこの発明の実施の形態８によるアンテナ装置を示す断面図であり、図において、図８及び図１０と同一符号は同一または相当部分を示すので説明を省略する。
上記実施の形態６における図１０のアンテナ装置と比べて、一次放射器６の構成が一次放射器１の構成と相違している点以外は同一である。
したがって、支持構造８には、上記実施の形態６と同様に、副反射鏡２により反射される球面波の電波や、主反射鏡３により反射される平面波の電波が入射されると、共振を起こすように複数の穴５２（円形の穴）が周期的に配列されており、支持構造８が共振することで、これらの電波が複数の穴５２を透過する。
図１２のアンテナ装置についても、一次放射器６の代わりに、受信器を実装すれば、受信アンテナとして用いることができる。
【００３１】
実施の形態９．
図１３はこの発明の実施の形態９によるアンテナ装置を示す斜視図であり、図１４はこの発明の実施の形態９によるアンテナ装置を示す断面図である。図において、図１と同一符号は同一または相当部分を示すので説明を省略する。
一次放射器９は電波を主反射鏡３に向けて放射する電波源である。一次放射器９は、例えば、ホーンアンテナなどから構成される。
【００３２】
支持構造１０は、図１の支持構造４と同様に、導体板４１で構成されており（図３と同じ構成）、その導体板４１の一端が主反射鏡３の外縁に固定されている。ただし、支持構造１０における導体板４１の他端は、副反射鏡２ではなく、一次放射器９を支持している。
この支持構造１０には、図１の支持構造４と同様に、主反射鏡３により反射された電波を透過させる複数の穴４２（長方形の穴）が周期的に配列されている。主反射鏡３により反射された電波が複数の穴４２に入射することで支持構造１０が共振し、その結果、電波が透過するような振る舞いになる。なお、複数の穴４２の形状は、上記実施の形態１と同様に、長方形以外の多角形であってもよい。
図１３のアンテナ装置についても、一次放射器９の代わりに、受信器を実装すれば、受信アンテナとして用いることができる。
【００３３】
実施の形態１０．
図１５はこの発明の実施の形態１０によるアンテナ装置を示す斜視図であり、図において、図１３と同一符号は同一または相当部分を示すので説明を省略する。
支持構造１１は、図５の支持構造５と同様に、導体板５１で構成されており（図６と同じ構成）、その導体板５１の一端が主反射鏡３の外縁に固定されている。ただし、支持構造１１における導体板５１の他端は、副反射鏡２ではなく、一次放射器９を支持している。
この支持構造１１には、図５の支持構造５と同様に、主反射鏡３により反射された電波を透過させる複数の穴５２（円形の穴）が周期的に配列されている。主反射鏡３により反射された電波が複数の穴５２に入射することで支持構造１１が共振し、その結果、電波が透過するような振る舞いになる。
図１５のアンテナ装置についても、一次放射器９の代わりに、受信器を実装すれば、受信アンテナとして用いることができる。
【００３４】
実施の形態１１．
図１６はこの発明の実施の形態１１によるアンテナ装置を示す断面図であり、図において、図１４と同一符号は同一または相当部分を示すので説明を省略する。
一次放射器１２は電波を主反射鏡３に向けて放射する電波源である。一次放射器１２は、例えば、複数のホーンアンテナが配列されることで構成されている。
上記実施の形態９における図１４のアンテナ装置と比べて、一次放射器１２の構成が一次放射器９の構成と相違している点以外は同一である。
したがって、支持構造１０には、上記実施の形態９と同様に、主反射鏡３により反射される平面波の電波が入射されると、共振を起こすように複数の穴４２（長方形の穴）が周期的に配列されており、支持構造１０が共振することで、これらの電波が複数の穴４２を透過する。なお、複数の穴４２の形状は、上記実施の形態９と同様に、長方形以外の多角形であってもよい。
図１６のアンテナ装置についても、一次放射器１２の代わりに、受信器を実装すれば、受信アンテナとして用いることができる。
【００３５】
実施の形態１２．
図１７はこの発明の実施の形態１２によるアンテナ装置を示す断面図であり、図において、図１５及び図１６と同一符号は同一または相当部分を示すので説明を省略する。
上記実施の形態１０における図１５のアンテナ装置と比べて、一次放射器１２の構成が一次放射器９の構成と相違している点以外は同一である。
したがって、支持構造１１には、上記実施の形態１０と同様に、主反射鏡３により反射される平面波の電波が入射されると、共振を起こすように複数の穴５２（円形の穴）が周期的に配列されており、支持構造１１が共振することで、これらの電波が複数の穴５２を透過する。
図１７のアンテナ装置についても、一次放射器１２の代わりに、受信器を実装すれば、受信アンテナとして用いることができる。
【００３６】
実施の形態１３．
上記実施の形態１〜８では、副反射鏡２がお椀型のミラーである例を示したが、お椀型のミラーに限るものではなく、例えば、複数の反射素子が配列されているリフレクトアレーで構成されていてもよい。
また、副反射鏡２の形状は、２つの面から見た形状（ｚｘ面から見た形状、ｙｚ面から見た形状）が異なるダブリーカーブ形状であってもよい。
【００３７】
上記実施の形態１〜１２では、主反射鏡３がお椀型のミラーである例を示したが、お椀型のミラーに限るものではなく、例えば、複数の反射素子が配列されているリフレクトアレーで構成されていてもよい。
また、主反射鏡３の形状は、２つの面から見た形状（ｚｘ面から見た形状、ｙｚ面から見た形状）が異なるダブリーカーブ形状であってもよい。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３９】
１  一次放射器、２  副反射鏡、３  主反射鏡、４  支持構造、５  支持構造、６  一次放射器、７  支持構造、８  支持構造、９  一次放射器、１０  支持構造、１１  支持構造、１２  一次放射器、４１  導体板、４２  穴、４３  支持構造のｘ’ｚ’側面、４４  支持構造のｙ’ｚ’側面、５１  導体板、５２  穴、５３  支持構造のｘ’ｚ’側面、５４  支持構造のｙ’ｚ’側面。
【図１】
2015185988.tif 000003
【図２】
2015185988.tif 000004
【図３】
2015185988.tif 000005
【図４】
2015185988.tif 000006
【図５】
2015185988.tif 000007
【図６】
2015185988.tif 000008
【図７】
2015185988.tif 000009
【図８】
2015185988.tif 000010
【図９】
2015185988.tif 000011
【図１０】
2015185988.tif 000012
【図１１】
2015185988.tif 000013
【図１２】
2015185988.tif 000014
【図１３】
2015185988.tif 000015
【図１４】
2015185988.tif 000016
【図１５】
2015185988.tif 000017
【図１６】
2015185988.tif 000018
【図１７】
2015185988.tif 000019